(57)【特許請求の範囲】
【請求項１】
電子書籍の内容をＨＭＤ（Ｈｅａｄ  Ｍｏｕｎｔｅｄ  Ｄｉｓｐｌａｙ）に表示する電子書籍表示装置であって、
用紙の輪郭を検出する用紙検出部と、
前記用紙検出部が検出した前記輪郭の内部に、前記電子書籍の内容を表示する表示領域を設定する表示領域設定部と、
前記表示領域設定部が設定した前記表示領域に対応するＨＭＤの表示領域に、前記電子書籍の内容を表示する表示制御部と
を備え、
前記用紙は、複数ページを有し、見開き形状に綴じられており、
ユーザーが前記用紙を次のページ又は前のページに繰る改ページ動作を検出する改ページ検出部を更に備え、
前記表示制御部は、前記改ページ検出部が前記改ページ動作を検出したときに、前記改ページ動作に同期して、前記電子書籍の内容を改ページして表示し、
前記改ページ検出部は、前記改ページ動作において改ページされる前記用紙の動きを、予め設定された所定時間間隔で検出し、
前記表示制御部は、前記用紙の動きに応じて、前記電子書籍の内容を改ページして表示し、
前記表示制御部は、前記改ページされる前記用紙の裏面に設定された前記表示領域に対応する前記電子書籍の内容を表示する、電子書籍表示装置。
【請求項２】
前記用紙検出部が検出した前記輪郭に基づき、前記用紙の撓みを検出する撓み検出部を更に備え、
前記表示制御部は、前記撓み検出部が検出した前記撓みに応じて、前記電子書籍の内容を歪ませて表示する、請求項１に記載の電子書籍表示装置。
【請求項３】
電子書籍の内容をＨＭＤに表示する電子書籍表示方法であって、
前記電子書籍の内容を表示する用紙の輪郭を検出する用紙検出工程と、
前記用紙検出工程で検出した前記輪郭の内部に、前記電子書籍の内容を表示する表示領域を設定する表示領域設定工程と、
前記表示領域設定工程で設定した前記表示領域に対応するＨＭＤの表示領域に、前記電子書籍の内容を表示する表示制御工程と
を含み、
前記用紙は、複数ページを有し、見開き形状に綴じられており、
ユーザーが前記用紙を次のページ又は前のページに繰る改ページ動作を検出する改ページ検出工程を更に含み、
前記表示制御工程では、前記改ページ検出工程で前記改ページ動作を検出したときに、前記改ページ動作に同期して、前記電子書籍の内容を改ページして表示し、
前記改ページ検出工程では、前記改ページ動作において改ページされる前記用紙の動きを、予め設定された所定時間間隔で検出し、
前記表示制御工程では、前記用紙の動きに応じて、前記電子書籍の内容を改ページして表示し、
前記表示制御工程では、前記改ページされる前記用紙の裏面に設定された前記表示領域に対応する前記電子書籍の内容を表示する、電子書籍表示方法。
【請求項４】
電子書籍の内容をＨＭＤに表示する電子書籍表示装置と、前記ＨＭＤ及び前記電子書籍表示装置と通信可能に接続された画像形成装置とを備える電子書籍表示システムであって、
前記画像形成装置は、
電子書籍情報を記憶する電子書籍記憶部と、
前記電子書籍情報へのアクセスを許可することを示す認証情報、及び、前記電子書籍情報のアドレスを示すアドレス情報を含む許可証を印刷する許可証印刷部と、
前記電子書籍表示装置から、前記認証情報及び前記アドレス情報を受信した場合に、前記電子書籍表示装置に対して、前記アドレス情報に対応する前記電子書籍情報を前記電子書籍記憶部から読み出して、前記電子書籍表示装置へ送信する電子書籍送信部と、
を備え、
前記電子書籍表示装置は、
前記ＨＭＤのカメラに前記許可証を読み取らせる許可証読取部と、
前記許可証読取部が読み取った前記許可証に含まれる前記認証情報及び前記アドレス情報を前記画像形成装置へ送信する許可証送信部と、
前記電子書籍の内容を表示する用紙の輪郭を検出する用紙検出部と、
前記用紙検出部が検出した前記輪郭の内部に、前記電子書籍の内容を表示する表示領域を設定する表示領域設定部と、
前記表示領域設定部が設定した前記表示領域に対応する前記ＨＭＤの表示領域に、前記電子書籍の内容を表示する表示制御部と
を備え、
前記用紙は、複数ページを有し、見開き形状に綴じられており、
ユーザーが前記用紙を次のページ又は前のページに繰る改ページ動作を検出する改ページ検出部を更に備え、
前記表示制御部は、前記改ページ検出部が前記改ページ動作を検出したときに、前記改ページ動作に同期して、前記電子書籍の内容を改ページして表示し、
前記改ページ検出部は、前記改ページ動作において改ページされる前記用紙の動きを、予め設定された所定時間間隔で検出し、
前記表示制御部は、前記用紙の動きに応じて、前記電子書籍の内容を改ページして表示し、
前記表示制御部は、前記改ページされる前記用紙の裏面に設定された前記表示領域に対応する前記電子書籍の内容を表示する、電子書籍表示システム。
【発明の詳細な説明】
【技術分野】
【０００１】
本発明は、電子書籍表示装置、電子書籍表示方法、及び、電子書籍表示システムに関する。
【背景技術】
【０００２】
従来、電子書籍を表示する種々の装置が知られている。例えば、ＨＭＤ（Ｈｅａｄ  Ｍｏｕｎｔｅｄ  Ｄｉｓｐｌａｙ）に電子書籍を表示するデジタルコンテンツ再生装置が開示されている（特許文献１参照）。
【０００３】
具体的には、上記デジタルコンテンツ再生装置は、偏光シャッター、投影部、スピーカー、及び、システム制御部を備える。偏光シャッター及び投影部は、画像データに基づく画像を表示する。スピーカーは、音データに基づく音を出力する。システム制御部は、ＨＭＤの動きの有無を判定する動き判定機能と、出力先制御機能とを有する。出力先制御機能は、動き判定機能で判定した動きの有無に応じて、電子ブックの出力先を制御する。
【０００４】
このデジタルコンテンツ再生装置によれば、利用者がデジタルコンテンツの内容を見ながら（又は、聞きながら）、他の行動を行うことができると記載されている。
【先行技術文献】
【特許文献】
【０００５】
【特許文献１】特開２００９−２２２７７４号公報
【発明の概要】
【発明が解決しようとする課題】
【０００６】
特許文献１に記載のデジタルコンテンツ再生装置では、電子書籍の内容をＨＭＤに表示することができるが、紙媒体の書籍を好むユーザーにとって改善の余地があった。紙媒体の書籍を好むユーザーは、例えば、紙媒体の書籍の手触りを好む。すなわち、上記デジタルコンテンツ再生装置では、紙媒体の書籍の手触りをユーザーに感じさせることはできなかった。
【０００７】
本発明は、上記課題に鑑みてなされたものであり、ユーザーに紙媒体の書籍を読んでいるような体験をさせることができる電子書籍表示装置、電子書籍表示方法、及び、電子書籍表示システムを提供することを目的としている。
【課題を解決するための手段】
【０００８】
本発明の電子書籍表示装置は、電子書籍の内容をＨＭＤに表示する電子書籍表示装置であって、用紙検出部、表示領域設定部、及び、表示制御部を備える。前記用紙検出部は、用紙の輪郭を検出する。前記表示領域設定部は、前記用紙検出部が検出した前記輪郭の内部に、前記電子書籍の内容を表示する表示領域を設定する。前記表示制御部は、前記表示領域設定部が設定した前記表示領域に対応するＨＭＤの表示領域に、前記電子書籍の内容を表示する。
【０００９】
本発明の電子書籍表示方法は、電子書籍の内容をＨＭＤに表示する電子書籍表示方法であって、用紙検出工程、表示領域設定工程、及び、表示制御工程を含む。前記用紙検出工程において、用紙の輪郭を検出する。前記表示領域設定工程において、前記用紙検出工程で検出した前記輪郭の内部に、前記電子書籍の内容を表示する表示領域を設定する。前記表示制御工程において、前記表示領域設定工程で設定した前記表示領域に対応するＨＭＤの表示領域に、前記電子書籍の内容を表示する。
【００１０】
本発明の電子書籍表示システムは、電子書籍の内容をＨＭＤに表示する電子書籍表示装置と、前記ＨＭＤ及び前記電子書籍表示装置と通信可能に接続された画像形成装置とを備える。前記画像形成装置は、電子書籍記憶部、許可証印刷部、及び、電子書籍送信部を備える。前記電子書籍記憶部は、電子書籍情報を記憶する。前記許可証印刷部は、前記電子書籍情報へのアクセスを許可することを示す認証情報、及び、前記電子書籍情報のアドレスを示すアドレス情報を含む許可証を印刷する。前記電子書籍送信部は、前記電子書籍表示装置から、前記認証情報及び前記アドレス情報を受信した場合に、前記電子書籍表示装置に対して、前記アドレス情報に対応する前記電子書籍情報を前記電子書籍記憶部から読み出して、前記電子書籍表示装置へ送信する。前記電子書籍表示装置は、許可証読取部、許可証送信部、用紙検出部、表示領域設定部、及び、表示制御部を備える。前記許可証読取部は、前記ＨＭＤのカメラに前記許可証を読み取らせる。前記許可証送信部は、前記許可証読取部が読み取った前記許可証に含まれる前記認証情報及び前記アドレス情報を前記画像形成装置へ送信する。前記用紙検出部は、用紙の輪郭を検出する。前記表示領域設定部は、前記用紙検出部が検出した前記輪郭の内部に、前記電子書籍の内容を表示する表示領域を設定する。前記表示制御部は、前記表示領域設定部が設定した前記表示領域に対応する前記ＨＭＤの表示領域に、前記電子書籍の内容を表示する。
【発明の効果】
【００１１】
本発明の電子書籍表示装置、電子書籍表示方法、及び、電子書籍表示システムによれば、ユーザーに紙媒体の書籍を読んでいるような体験をさせることができる。
【図面の簡単な説明】
【００１２】
【図１】本発明の実施形態に係る電子書籍表示システムの構成を示す図である。
【図２】図１に示すＨＭＤの構成を示す斜視図である。
【図３】図２に示すＨＭＤの構成を示すブロック図である。
【図４】図１に示すＭＦＰの構成を示す側面図である。
【図５】図３に示すＨＭＤの制御部及び図４に示すＭＦＰの制御部の構成を示すブロック図である。
【図６】図５に示す用紙検出部の機能を示す図である。
【図７】図５に示す表示領域設定部の機能を示す図である。
【図８】図５に示す表示制御部の機能を示す図である。
【図９】図５に示す表示制御部がＨＭＤに表示する画像の一例を示す図である。
【図１０】図９に示す画像の詳細を示す図である。
【図１１】図５に示す表示制御部がＨＭＤに表示する画像の他の一例を示す図である。
【図１２】図５に示すＨＭＤの制御部の動作を示すフローチャートである。
【発明を実施するための形態】
【００１３】
以下、本発明の実施形態について、図面（図１〜図１２）を参照しながら説明する。なお、図中、同一又は相当部分については同一の参照符号を付して説明を繰り返さない。
【００１４】
まず、図１を参照して、本実施形態に係る電子書籍表示システム１００の構成について説明する。電子書籍表示システム１００は、ＨＭＤ（Ｈｅａｄ  Ｍｏｕｎｔｅｄ  Ｄｉｓｐｌａｙ）１、及び、ＭＦＰ（Ｍｕｌｔｉ−Ｆｕｎｃｔｉｏｎ  Ｐｅｒｉｐｈｅｒａｌ）２を備える。ＨＭＤ１は、ＷｉＦｉを介してＭＦＰ２と通信可能に接続される。ＨＭＤ１は、「電子書籍表示装置」に相当する。
【００１５】
ＨＭＤ１は、カメラ１０を備え、電子書籍の内容を示す電子書籍画像を表示する。また、ＨＭＤ１は、眼鏡型である。カメラ１０は、紙媒体の書籍（用紙）を撮像し、用紙の画像を示す情報である用紙画像情報を生成する。また、ＨＭＤ１の構成については、図２及び図３を用いて後述する。
【００１６】
ＭＦＰ２は、カラー印刷機能、及び、通信機能を有するカラー複合機であって、許可証ＥＶを印刷する。許可証ＥＶは、電子書籍情報へのアクセスを許可することを示す認証情報ＡＴＤ、及び、電子書籍情報のアドレスを示すアドレス情報ＡＤＤを含む。ＭＦＰ２の構成については、図４を用いて後述する。
【００１７】
次に、図２及び図３を参照して、ＨＭＤ１について説明する。図２は、図１に示すＨＭＤ１の構成を示す斜視図である。ＨＭＤ１は、眼鏡型のＨＭＤであって、ユーザーが装着し、電子書籍の内容を表示する。またＨＭＤ１は、カメラ１０に加えて、制御部１１、レンズフレーム１２、柄１３、レンズ部１４、偏光シャッター１５、投影部１６、及び、送受信部１７を備えている。
【００１８】
レンズフレーム１２及び柄１３は、眼鏡フレームを構成している。１対のレンズ部１４は、レンズフレーム１２に装着されている。偏光シャッター１５は、１対のレンズ部１４の全面に貼り付けられている。偏光シャッター１５は、液晶表示素子で構成され、光を透過させる開状態と、光を透過させない閉状態とを切り換えることができる。偏光シャッター１５の開状態と閉状態とは、液晶表示素子の液晶層に印加する電圧を制御することによって切り換えられる。
【００１９】
送受信部１７は、ＭＦＰ２へ許可証データを送信する。また、送受信部１７は、ＭＦＰ２から電子書籍情報を受信する。制御部１１は、送受信部１７によって受信された電子書籍情報に対応する電子書籍画像を生成し、生成された電子書籍画像を投影部１６に伝送する。また、制御部１１は、偏光シャッター１５を開閉する。投影部１６は、制御部１１から入力される電子書籍画像を偏光シャッター１５に投影する。
【００２０】
次に、図３を参照して、ＨＭＤ１の構成について説明する。ＨＭＤ１は、更に、操作部１９を備える。また、制御部１１は、ＣＰＵ１１Ａ、信号処理部１１Ｂ、メモリー１１Ｃ、及び、シャッター駆動部１１Ｄを備える。カメラ１０、制御部１１、投影部１６、送受信部１７、及び、操作部１９は、バスを介して通信可能に接続されている。
【００２１】
ＣＰＵ１１Ａは、ＨＭＤ１の動作を制御する。信号処理部１１Ｂは、送受信部１７によって受信された電子書籍情報に信号処理を施し、電子書籍情報に対応する電子書籍画像を生成する。また、信号処理部１１Ｂは、カメラ１０が読み取った情報に信号処理を施し、送受信部１７を介してＭＦＰ２へ送信する。メモリー１１Ｃは、制御プログラム、電子書籍情報、及び、種々の設定値を記憶する。シャッター駆動部１１Ｄは、ＣＰＵ１１Ａからの指示にしたがって、偏光シャッター１５を駆動する。
【００２２】
操作部１９は、ＨＭＤ１の適所に配置され、ユーザーからの操作入力を受け付ける。例えば、操作部１９は、許可証ＥＶの読取を開始する操作入力を受け付ける。なお、制御部１１の構成の詳細については、図５を参照して後述する。
【００２３】
次に、図４を参照して、本実施形態に係るＭＦＰ２の構成について説明する。図４は、ＭＦＰ２の構成を示す図である。ＭＦＰ２は、カラースキャナー、複写機、カラープリンター、及び、ファクシミリのような各種機能を有する。ＭＦＰ２は、筐体２０、画像形成ユニット２１、画像読取ユニット２２、原稿搬送ユニット２３、操作パネル２４、及び、制御部２５を備える。操作パネル２４は、タッチパネル２４１を備える。
【００２４】
画像読取ユニット２２は、原稿Ｒに形成された画像を読み取って画像データを生成する。原稿搬送ユニット２３は、原稿トレイに載置された原稿Ｒを、画像読取位置を経由して原稿排出トレイまで搬送する。また、原稿搬送ユニット２３は、ＡＤＦ（Ａｕｔｏ  Ｄｏｃｕｍｅｎｔ  Ｆｅｅｄｅｒ）を構成している。
【００２５】
画像形成ユニット２１は、用紙Ｐに画像を形成するユニットであって、給紙部２１２、搬送部Ｌ、トナー補給ユニット２１３、トナー画像形成ユニット２１４、転写部２１５、定着部２１７、及び、排出部２１８を備える。
【００２６】
給紙部２１２は、筐体２０の下部に配置され、用紙Ｐを搬送部Ｌへ供給する。給紙部２１２は、複数枚の用紙Ｐを収容可能であって、最上部の用紙Ｐを１枚ずつ搬送部Ｌへ供給する。
【００２７】
搬送部Ｌは、給紙部２１２によって供給された用紙Ｐを、転写部２１５及び定着部２１７を経由して排出部２１８まで搬送する。
【００２８】
トナー補給ユニット２１３は、トナー画像形成ユニット２１４にトナーを供給する容器であって、４つのトナーカートリッジ２１３ｃ、２１３ｍ、２１３ｙ、及び、２１３ｋを備える。
【００２９】
転写部２１５は、中間転写ベルト２１５ａを備える。転写部２１５は、トナー画像形成ユニット２１４によって、中間転写ベルト２１５ａ上に形成されたトナー像を、用紙Ｐ上に転写する。
【００３０】
トナー画像形成ユニット２１４は、中間転写ベルト２１５ａ上にトナー像を形成する。トナー画像形成ユニット２１４は、４つの画像形成部２１４ｃ、２１４ｍ、２１４ｙ、２１４ｋを含む。
【００３１】
定着部２１７は、転写部２１５によって用紙Ｐに形成されたトナー像を定着するローラー対であって、加熱ローラー２１７ａ及び加圧ローラー２１７ｂを備える。加熱ローラー２１７ａは、用紙Ｐを加熱する。また、用紙Ｐは、加熱ローラー２１７ａ及び加圧ローラー２１７ｂによって加圧される。その結果、転写部２１５において用紙Ｐに転写された未定着のトナー像が、定着部２１７によって定着される。排出部２１８は、トナー像が定着された用紙Ｐを装置の外部へ排出する。
【００３２】
次に、図５を参照して、ＨＭＤ１の制御部１１及びＭＦＰ２の制御部２５の構成について説明する。まず、ＨＭＤ１の制御部１１の構成について説明する。制御部１１は、図３を参照して説明したように、ＣＰＵ１１Ａ及びメモリー１１Ｃを備える。メモリー１１Ｃには、制御プログラムが記憶される。ＣＰＵ１１Ａは、制御プログラムを実行することによって、各種機能部として機能する。その結果、ＣＰＵの各種機能部は、ＨＭＤ１の動作を制御する。制御部１１は、許可証読取部１１１、許可証送信部１１２、電子書籍取得部１１３、用紙検出部１１４、撓み検出部１１５、表示領域設定部１１６、改ページ検出部１１７、及び、表示制御部１１８を更に備える。
【００３３】
許可証読取部１１１は、許可証ＥＶを読み取る。具体的には、まず、ＨＭＤ１をユーザーが装着する。次に、ユーザーが許可証ＥＶをカメラ１０の正面位置に保持する。そして、ユーザーが、操作部１９を介して、許可証ＥＶを読み取る旨の指示を入力する。操作部１９が許可証ＥＶを読み取る旨の指示を受け付けた場合に、許可証読取部１１１は、カメラ１０を介して、許可証ＥＶの画像を取得する。そして、許可証読取部１１１は、許可証ＥＶに含まれる認証情報ＡＴＤ、及び、アドレス情報ＡＤＤを読み取る。認証情報ＡＴＤは、電子書籍情報へのアクセスを許可することを示す。アドレス情報ＡＤＤは、電子書籍情報のアドレスを示す。
【００３４】
許可証送信部１１２は、許可証読取部１１１が読み取った認証情報ＡＴＤ、アドレス情報ＡＤＤ、及び、ＨＭＤ１のアドレス情報ＩＰＤをＭＰＦ２へ送信する。アドレス情報ＩＰＤは、ＨＭＤ１のインターネットアドレス情報である。アドレス情報ＩＰＤは、例えば、ＩＰ（Ｉｎｔｅｒｎｅｔ  Ｐｒｏｔｏｃｏｌ）アドレス情報である。
【００３５】
電子書籍取得部１１３は、ＭＰＦ２から電子書籍情報ＥＢＤを取得する。具体的には、許可証送信部１１２が送信した認証情報ＡＴＤ、アドレス情報ＡＤＤ、及び、ＨＭＤ１のアドレス情報ＩＰＤを、ＭＰＦ２が受信する。そして、ＭＰＦ２における認証が成功した場合に、ＭＰＦ２は、アドレス情報ＡＤＤに対応するアドレスに記憶された電子書籍情報ＥＢＤを読み出し、アドレス情報ＩＰＤを有するＨＭＤ１に向けて電子書籍情報ＥＢＤを送信する。電子書籍取得部１１３は、ＭＰＦ２から送信された電子書籍情報ＥＢＤを受信することによって電子書籍情報ＥＢＤを取得する。そして、電子書籍取得部１１３は、取得した電子書籍情報ＥＢＤをメモリー１１Ｃに記録する。
【００３６】
用紙検出部１１４は、用紙の輪郭を検出する。また、用紙検出部１１４は、用紙の位置、大きさ、及び、傾きを検出する。具体的には、図６を参照して後述する。
【００３７】
撓み検出部１１５は、用紙検出部１１４が検出した用紙の輪郭に基づき、用紙の撓みを検出する。表示領域設定部１１６は、用紙検出部１１４が検出した用紙の輪郭の内部に、電子書籍ＥＢの内容を表示する表示領域を設定する。撓み検出部１１５、及び、表示領域設定部１１６について、具体的には、図７を参照して後述する。
【００３８】
改ページ検出部１１７は、ユーザーが用紙３を次のページ又は前のページに繰る改ページ動作を検出する。例えば、改ページ検出部１１７は、用紙３の輪郭３１の動きに基づいて改ページ動作を検出する。また、改ページ検出部１１７は、改ページ動作において改ページされる用紙３の動きを、予め設定された所定時間ΔＴ間隔で検出する。所定時間ΔＴは、例えば、０．０１秒である。
【００３９】
表示制御部１１８は、表示領域設定部１１６が設定した表示領域に対応するＨＭＤ１の表示領域に、電子書籍ＥＢの内容を表示する。すなわち、表示制御部１１８は、シャッター駆動部１１Ｄを介して、ＨＭＤ１の表示領域に対応する偏光シャッター１５を閉状態とする。また、表示制御部１１８は、投影部１６を介して、ＨＭＤ１の表示領域４２に電子書籍ＥＢの内容を表示する。
【００４０】
また、表示制御部１１８は、改ページ検出部１１７が改ページ動作を検出したときに、改ページ動作に同期して、電子書籍ＥＢの内容を改ページして表示する。更に、表示制御部１１８は、用紙の動きに応じて、電子書籍ＥＢの内容を改ページして表示する。加えて、表示制御部１１８は、改ページされる用紙の裏面に設定された表示領域に対応する電子書籍ＥＢの内容を表示する。具体的には、図８〜図１０を参照して後述する。
【００４１】
更に、表示制御部１１８は、電子書籍ＥＢをユーザーが読み終えたか否かを判定する。具体的には、表示制御部１１８は、例えば、操作部１９を介して、ユーザーが読み終えた旨の入力を行った場合に、電子書籍ＥＢをユーザーが読み終えたと判定する。そして、電子書籍ＥＢを読み終えたと判定した場合に、表示制御部１１８は、メモリー１１Ｃに記憶された電子書籍情報ＥＢＤを消去する。
【００４２】
以上、制御部１１の構成を詳細に説明した。次に、制御部２５の構成を詳細に説明する。制御部２５は、ＭＦＰ２の動作を制御する。制御部２５は、ＣＰＵ（Ｃｅｎｔｒａｌ  Ｐｒｏｃｅｓｓｉｎｇ  Ｕｎｉｔ）及びメモリーを備える。メモリーには、制御プログラムが記憶される。ＣＰＵは、制御プログラムを実行することによって、各種機能部として機能する。その結果、ＣＰＵの各種機能部は、ＭＦＰ２の動作を制御する。制御部２５は、許可証印刷部２５１、電子書籍送信部２５２、及び、電子書籍記憶部２５３を備える。
【００４３】
電子書籍記憶部２５３は、電子書籍情報ＥＢＤを記憶する。具体的には、電子書籍情報ＥＢＤが文字情報を含む場合には、電子書籍記憶部２５３は、文字情報に対応するテキストデータを記憶する。また、電子書籍情報ＥＢＤが図形情報、絵画情報、又は、写真情報を含む場合には、電子書籍記憶部２５３は、図形情報、絵画情報、及び、写真情報にそれぞれ対応する画像データを記憶する。電子書籍記憶部２５３に記憶された電子書籍情報ＥＢＤは、電子書籍送信部２５２によって読み出される。なお、本実施形態では、電子書籍記憶部２５３に予め電子書籍情報ＥＢＤが記憶されている形態について説明する。
【００４４】
許可証印刷部２５１は、認証情報ＡＴＤとアドレス情報ＡＤＤとを含む許可証ＥＶを印刷する。認証情報ＡＴＤは、電子書籍情報ＥＢＤへのアクセスを許可することを示す。アドレス情報ＡＤＤは、電子書籍記憶部２５３に記憶された電子書籍情報ＥＢＤのアドレスを示す。
【００４５】
具体的には、認証情報ＡＴＤは、電子書籍記憶部２５３に記憶されている電子書籍情報ＥＢＤのうち、少なくとも１つの電子書籍情報ＥＢＤにアクセスする権限のあることを示す。認証情報ＡＴＤは、例えば、パスワードである。また、アドレス情報ＡＤＤは、電子書籍記憶部２５３に記憶されている電子書籍情報ＥＢＤのうち、アクセス可能な電子書籍情報ＥＢＤのアドレスを示す。
【００４６】
電子書籍送信部２５２は、ＨＭＤ１から認証情報ＡＴＤ、アドレス情報ＡＤＤ、及び、アドレス情報ＩＰＤを受信する。認証情報ＡＴＤは、電子書籍情報ＥＢＤへのアクセスを許可することを示す。アドレス情報ＡＤＤは、電子書籍記憶部２５３に記憶された電子書籍情報ＥＢＤのアドレスを示す。アドレス情報ＩＰＤは、ＨＭＤ１のインターネットアドレスを示す。インターネットアドレスは、例えば、ＩＰ（Ｉｎｔｅｒｎｅｔ  Ｐｒｏｔｏｃｏｌ）アドレスである。
【００４７】
電子書籍送信部２５２は、認証情報ＡＴＤが正しいか否かを判定する。電子書籍送信部２５２が、認証情報ＡＴＤが正しくないと判定した場合には、電子書籍送信部２５２が電子書籍情報ＥＢＤの読み出しを禁止する。電子書籍送信部２５２が、認証情報ＡＴＤが正しいと判定した場合（すなわち、認証が成功した場合）には、電子書籍送信部２５２は、電子書籍記憶部２５３から電子書籍情報ＥＢＤを読み出す。そして、電子書籍送信部２５２は、読み出した電子書籍情報ＥＢＤを、ＨＭＤ１のアドレス情報ＩＰＤに送信する。
【００４８】
次に、図５、図６を参照して、用紙検出部１１４の機能について具体的に説明する。図６は、用紙検出部１１４の機能を示す図である。まず、ユーザーが用紙３をカメラ１０の正面位置に保持する。換言すれば、ユーザーが電子書籍ＥＢの内容を読む際の用紙３の位置に、用紙３を保持する。そして、ユーザーが、操作部１９を介して、用紙３の輪郭を検出する旨の指示を入力する。操作部１９が用紙３の輪郭を検出する旨の指示を受け付けた場合に、用紙検出部１１４は、カメラ１０を介して、用紙３を撮像して、用紙３の画像情報を形成する。そして、用紙検出部１１４は、用紙３の画像情報に基づいて、用紙３の輪郭を検出する。本実施形態では、用紙３は、紙媒体の書籍である。なお、用紙３の書籍は、電子書籍情報ＥＢＤとは異なる内容を示す。
【００４９】
また、用紙検出部１１４は、用紙３の画像情報に基づいて、用紙３の位置、大きさ、及び、傾きを検出する。なお、用紙３の位置、大きさ、及び、傾きを正確に検出するためには、ＨＭＤ１が、赤外線センサーのような距離センサーを備えることが好ましい。すなわち、用紙検出部１１４は、距離センサーの出力と、用紙３の画像情報とに基づいて、用紙３の位置、大きさ、及び、傾きを求める。
【００５０】
次に、図５、図７を参照して、撓み検出部１１５の機能について具体的に説明する。図７は、カメラ１０が取得した用紙３の画像３Ｍを示す。用紙検出部１１４は、用紙３の画像３Ｍに基づいて、用紙３の輪郭３１を検出する。輪郭３１は、右ページの上辺３１１、右辺３１２、及び、下辺３１３を含む。更に、輪郭３１は、左ページの上辺３１６、左辺３１５、及び、下辺３１４を含む。加えて、輪郭３１は、右ページと左ページとの境界線３１７を含む。
【００５１】
撓み検出部１１５は、右ページの上辺３１１及び下辺３１３の曲がり具合に基づいて、右ページの撓みを検出する。また、撓み検出部１１５は、左ページの上辺３１６及び下辺３１４の曲がり具合に基づいて、左ページの撓みを検出する。本実施形態では、右ページは、その幅方向（図７の左右方向）の中央部が手前側に凸に撓んでいる。また、右ページは、左端（境界線３１７）又は右端（右辺３１２）から遠ざかる程、曲率半径は小さくなっている。換言すれば、右ページは、その幅方向（図７の左右方向）の中央部に近付く程、曲率半径は小さくなっている。同様に、左ページも、その幅方向（図７の左右方向）の中央部が手前側に凸に撓んでいる。また、左ページは、右端（境界線３１７）又は左端（左辺３１５）から遠ざかる程、曲率半径は小さくなっている。換言すれば、左ページは、その幅方向（図７の左右方向）の中央部に近付く程、曲率半径は小さくなっている。
【００５２】
また、表示領域設定部１１６は、右ページの輪郭３１の内部に右ページの表示領域３２１を設定する。また、表示領域設定部１１６は、左ページの輪郭３１の内部に表示領域３２２を設定する。表示領域３２１、３２２には、表示制御部１１８が電子書籍ＥＢの内容を表示する。表示領域３２１、３２２を、便宜上、表示領域３２と総称する。
【００５３】
次に、図８〜図１０を参照して、表示制御部１１８の機能を説明する。図８は、表示制御部１１８の機能を示す図である。図８は、用紙３、ＨＭＤ１及び視点ＥＲ、ＥＬの位置関係を示す。また、図８は、用紙３の輪郭３１をＨＭＤ１のレンズ部１４に投影した輪郭４１を示す。輪郭４１は、ユーザーの右目の視点ＥＲと用紙３の輪郭３１とを結ぶ四角錐状領域が、ＨＭＤ１のレンズ部１４と交わる線で構成される。また、輪郭４１は、ユーザーの左目の視点ＥＬと用紙３の輪郭３１とを結ぶ四角錐状領域が、ＨＭＤ１のレンズ部１４と交わる線で構成される。ＨＭＤ１は、輪郭４１内に電子書籍ＥＢの内容を表示する。
【００５４】
図９は、表示制御部１１８がＨＭＤ１に表示する画像４３の一例を示す図である。図９は、ＨＭＤ１の右側のレンズ部１４に表示される画像４３を示す。図１０は、画像４３の詳細を示す図である。図９及び図１０には、用紙３の輪郭３１に対応する輪郭４１、及び、用紙３の表示領域３２に対応する表示領域４２が表示されている。表示領域４２は、右ページの表示領域４２１、及び、左ページの表示領域４２２を含む。表示領域４２には、電子書籍ＥＢの内容を示す画像４３が表示される。画像４３は、右ページの表示領域４２１に表示される画像４３１、及び、左ページの表示領域４２２に表示される画像４３２を含む。また、輪郭４１と表示領域４２との間の領域には、ボタン群５が表示される。ボタン群５は、ユーザーからの種々の操作を受け付ける。ボタン群５は、ボタン５１〜５６を含む。なお、図９に示す輪郭４１及び表示領域４２は、レンズ部１４には表示されない。また、画像４３及びボタン群５は、投影部１６によってレンズ部１４に表示される。更に、レンズ部１４の表示領域４２は、シャッター駆動部１１Ｄによって偏光シャッター１５が閉状態にされる。
【００５５】
また、撓み検出部１１５によって検出された用紙３の撓みに応じて、表示制御部１１８は、電子書籍ＥＢの内容を示す画像４３を撓ませて表示する。本実施形態では、輪郭４１の上側の辺、及び、下側の辺に沿って、画像４３が撓んで表示されている。
【００５６】
ボタン群５は、例えば、ボタン群５に対応する用紙３上の位置をユーザーがタッチすることによって電子書籍ＥＢの内容の表示に関する種々の操作を行う。なお、この操作は、カメラ１０を介して検出する。また、ボタン群５は、例えば、電子書籍ＥＢに含まれる文字のサイズを変更する場合にタッチされる。更に、ボタン群５は、例えば、電子書籍ＥＢの文字列にマーカーで色を塗る場合にタッチされる。また、ボタン群５は、例えば、改ページを行う場合にタッチされる。
【００５７】
次に、図１１を参照して、表示制御部１１８の機能を説明する。図１１は、表示制御部１１８がＨＭＤ１に表示する画像４３の他の一例を示す図である。図１１には、用紙３の輪郭３１に対応する輪郭４１、及び、用紙３の表示領域３２に対応する表示領域４２が表示されている。図１１は、用紙３が改ページ動作をしている途中の状態を示している。表示領域４２は、右ページの表示領域４２１、左ページの表示領域４２２、左ページの裏面の表示領域４２３、及び、左ページの裏面の次のページの表示領域４２４を含む。表示領域４２には、電子書籍ＥＢの内容を示す画像４３が表示される。画像４３は、右ページの画像４３１、左ページの画像４３２、左ページの裏面の画像４３３、及び、左ページの裏面の次のページの画像４３４を含む。
【００５８】
換言すれば、表示制御部１１８は、表示領域４２３に対応する電子書籍ＥＢの内容を示す画像４３３を表示する。表示領域４２３は、改ページされる用紙３の裏面に設定された表示領域である。また、表示制御部１１８は、表示領域４２４に対応する電子書籍ＥＢの内容を示す画像４３４を表示する。表示領域４２４は、改ページされる用紙３の裏面の次のページに設定された表示領域である。
【００５９】
次に、図５及び図１２を参照して、ＨＭＤ１の制御部１１の動作について説明する。図１２は、ＨＭＤ１の制御部１１の動作を示すフローチャートである。まず、許可証読取部１１１が、許可証ＥＶを読み取る（ステップＳ１０１）。具体的には、許可証読取部１１１が、許可証ＥＶに含まれる認証情報ＡＴＤ、及び、アドレス情報ＡＤＤを読み取る。次に、許可証送信部１１２が、認証情報ＡＴＤ、アドレス情報ＡＤＤ、及び、ＨＭＤ１のアドレス情報ＩＰＤをＭＰＦ２へ送信する（ステップＳ１０３）。
【００６０】
そして、電子書籍取得部１１３が、ＭＰＦ２から電子書籍情報ＥＢＤを受信したか否かを判定する（ステップＳ１０５）。電子書籍情報ＥＢＤを受信していないと判定した場合（ステップＳ１０５でＮＯ）には、処理が待機状態になる。電子書籍情報ＥＢＤを受信したと判定した場合（ステップＳ１０５でＹＥＳ）には、処理がステップＳ１０７に進む。そして、電子書籍取得部１１３が、電子書籍情報ＥＢＤをメモリー１１Ｃに記録する（ステップＳ１０７）。
【００６１】
ステップＳ１０７の処理が終了したときには、用紙検出部１１４が、用紙３の輪郭３１を検出する（ステップＳ１０９）。次に、撓み検出部１１５が、用紙３の撓みを検出する（ステップＳ１１１）。次いで、表示領域設定部１１６が、表示領域３２を設定する（ステップＳ１１３）。そして、表示制御部１１８が、表示領域３２に対応するＨＭＤ１の表示領域４２に電子書籍ＥＢの内容を示す画像４３を表示する（ステップＳ１１５）。具体的には、表示制御部１１８は、レンズ部１４の表示領域４２内の偏光シャッター１５を閉状態にする。また、表示制御部１１８は、電子書籍情報ＥＢＤをメモリー１１Ｃから読み出して、表示領域４２に電子書籍ＥＢの内容を示す画像４３を表示する。
【００６２】
次に、改ページ検出部１１７が、改ページ動作を検出したか否かを判定する（ステップＳ１１７）。改ページ動作を検出していないと判定した場合（ステップＳ１１７でＮＯ）には、処理がステップＳ１０９に戻る。改ページ動作を検出したと判定した場合（ステップＳ１１７でＹＥＳ）には、処理がステップＳ１１９に進む。そして、表示制御部１１８が改ページ動作の前に最終ページが表示されていたか否かの判定が行われる（ステップＳ１１９）。最終ページが表示されていたと判定した場合（ステップＳ１１９でＹＥＳ）には、処理がステップＳ１２３に進む。最終ページが表示されていなかったと判定した場合（ステップＳ１１９でＮＯ）には、処理がステップＳ１２１に進む。そして、表示制御部１１８が、改ページ動作に同期して、電子書籍ＥＢの内容を改ページして表示領域４２内に表示し（ステップＳ１２１）、処理がステップＳ１０９に戻る。
【００６３】
ステップＳ１１９でＹＥＳの場合には、表示制御部１１８が、ユーザーが電子書籍ＥＢを読み終えたか否かを判定する（ステップＳ１２３）。電子書籍ＥＢを読み終えていないと判定した場合（ステップＳ１２３でＮＯ）には、処理がステップＳ１０９に戻る。電子書籍ＥＢを読み終えたと判定した場合（ステップＳ１２３でＹＥＳ）には、処理がステップＳ１２５に進む。そして、表示制御部１１８が、メモリー１１Ｃに記憶された電子書籍情報ＥＢＤを消去し（ステップＳ１２５）、処理が終了する。
【００６４】
なお、ステップＳ１０９が、「用紙検出工程」に相当する。また、ステップＳ１１３が「表示領域設定工程」に相当する。更に、ステップＳ１１５及びステップＳ１２１が「表示制御工程」に相当する。
【００６５】
図１〜図１２を参照して説明したように、用紙検出部１１４が、用紙３の輪郭３１を検出する。そして、表示領域設定部１１６が、用紙検出部１１４が検出した輪郭３１の内部に、電子書籍ＥＢの内容を表示する表示領域３２を設定する。また、表示制御部１１８が、表示領域設定部１１６が設定した表示領域３２に対応するＨＭＤ１の表示領域４２に、電子書籍ＥＢの内容を示す画像４３を表示する。すなわち、用紙３の輪郭３１の内部に電子書籍ＥＢの内容を表示する。よって、電子書籍ＥＢの内容を用紙３に印刷された書籍のように表示することができる。したがって、ユーザーに紙媒体の書籍を読んでいるような体験をさせることができる。
【００６６】
また、撓み検出部１１５が、用紙検出部１１４が検出した輪郭３１に基づき、用紙の撓みを検出する。そして、表示制御部１１８が、撓み検出部１１５が検出した撓みに応じて、電子書籍ＥＢの内容を示す画像４３を歪ませて表示する。すなわち、用紙３の撓みに応じて、電子書籍ＥＢの内容を示す画像４３を歪ませて表示する。よって、電子書籍ＥＢの内容を、更に用紙３に印刷された書籍のように表示することができる。したがって、ユーザーに紙媒体の書籍を読んでいるような体験をさせることができる。
【００６７】
更に、用紙３は、複数ページを有し、見開き形状に綴じられている。そして、改ページ検出部１１７が、ユーザーが用紙３を次のページ又は前のページに繰る改ページ動作を検出する。また、表示制御部１１８は、改ページ検出部１１７が改ページ動作を検出したときに、改ページ動作に同期して、電子書籍ＥＢの内容を示す画像４３を改ページして表示する。すなわち、改ページ動作に同期して、電子書籍ＥＢの内容を示す画像４３を改ページして表示する。よって、電子書籍ＥＢの内容を、更に用紙３に印刷された書籍のように表示することができる。したがって、ユーザーに紙媒体の書籍を読んでいるような体験をさせることができる。
【００６８】
加えて、改ページ検出部１１７は、改ページ動作において改ページされる用紙３の動きを、予め設定された所定時間ΔＴ間隔で検出する。そして、表示制御部１１８は、用紙３の動きに応じて、電子書籍ＥＢの内容を改ページして表示する。すなわち、用紙３の動きを所定時間ΔＴ間隔で検出し、検出した用紙３の動きに応じて、電子書籍ＥＢの内容を示す画像４３を改ページして表示する。よって、電子書籍ＥＢの内容を、更に用紙３に印刷された書籍のように表示することができる。したがって、ユーザーに紙媒体の書籍を読んでいるような体験をさせることができる。
【００６９】
また、表示制御部１１８は、改ページされる用紙３の裏面に設定された表示領域３２に対応する電子書籍ＥＢを表示する。すなわち、改ページの途中で、改ページされる用紙３の裏面がユーザー側を向く動きに応じて、裏面に設定された表示領域３２に対応する電子書籍ＥＢの内容を示す画像４３を表示する。よって、電子書籍ＥＢの内容を、更に用紙３に印刷された書籍のように表示することができる。したがって、ユーザーに紙媒体の書籍を読んでいるような体験をさせることができる。
【００７０】
更に、用紙検出工程で、用紙３の輪郭３１を検出する。そして、表示領域設定工程で、用紙検出工程で検出した輪郭３１の内部に、電子書籍ＥＢの内容を表示する表示領域３２を設定する。また、表示制御工程で、表示領域設定工程で設定した表示領域３２に対応するＨＭＤの表示領域４２に、電子書籍ＥＢの内容を示す画像４３を表示する。すなわち、用紙３の輪郭３１の内部に電子書籍ＥＢの内容を表示する。よって、電子書籍ＥＢの内容を用紙３に印刷された書籍のように表示することができる。したがって、ユーザーに紙媒体の書籍を読んでいるような体験をさせることができる。
【００７１】
ＭＦＰ２の許可証印刷部２５１が、電子書籍情報ＥＢＤへのアクセスを許可することを示す認証情報ＡＴＤ、及び、電子書籍情報ＥＢＤのアドレスを示すアドレス情報ＡＤＤを含む許可証ＥＶを印刷する。そして、ＨＭＤ１の許可証読取部１１１が、カメラ１０を介して許可証ＥＶを読み取る。また、ＨＭＤ１の許可証送信部１１２が、許可証読取部１１１が読み取った許可証ＥＶに含まれる認証情報ＡＴＤ及びアドレス情報ＡＤＤをＭＦＰ２へ送信する。更に、ＭＦＰ２の電子書籍送信部２５２が、ＨＭＤ１から認証情報ＡＴＤ及びアドレス情報ＡＤＤを受信した場合に、ＨＭＤ１に対してアドレス情報ＡＤＤに対応する電子書籍ＥＢを電子書籍記憶部２５３から読み出して、ＨＭＤ１へ送信する。
【００７２】
すなわち、ＭＦＰ２によって印刷された許可証ＥＶに基づいてユーザー認証が行われ、ＭＦＰ２の電子書籍記憶部２５３に記憶された電子書籍情報ＥＢＤがＨＭＤ１へ送信される。よって、ＭＦＰ２の電子書籍記憶部２５３に記憶された電子書籍情報ＥＢＤの漏洩を抑制できる。
【００７３】
また、用紙検出部１１４が、用紙３の輪郭３１を検出する。そして、表示領域設定部１１６が、用紙検出部１１４が検出した輪郭３１の内部に、電子書籍ＥＢの内容を表示する表示領域３２を設定する。また、表示制御部１１８が、表示領域設定部１１６が設定した表示領域３２に対応するＨＭＤ１の表示領域４２に、電子書籍ＥＢの内容を示す画像４３を表示する。すなわち、用紙３の輪郭３１の内部に電子書籍ＥＢの内容を表示する。よって、電子書籍ＥＢの内容を用紙３に印刷された書籍のように表示することができる。したがって、ユーザーに紙媒体の書籍を読んでいるような体験をさせることができる。
【００７４】
更に、表示制御部１１８は、電子書籍ＥＢをユーザーが読み終えたか否かを判定する。そして、電子書籍ＥＢを読み終えたと判定した場合に、表示制御部１１８は、メモリー１１Ｃに記憶された電子書籍情報ＥＢＤを消去する。よって、ＭＦＰ２の電子書籍記憶部２５３に記憶された電子書籍ＥＢの漏洩を更に抑制できる。
【００７５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７６】
（１）図１を参照して、ＨＭＤ１がＷｉＦｉを介してＭＦＰ２と通信可能に接続される形態について説明したが、これに限定されない。ＨＭＤ１が、他の形態の無線通信を介して、ＭＦＰ２と通信可能に接続される形態でもよい。例えば、ＨＭＤ１が、３Ｇ（３ｒｄ  Ｇｅｎｅｒａｔｉｏｎ）、又は、ＬＴＥ（Ｌｏｎｇ  Ｔｅｒｍ  Ｅｖｏｌｕｔｉｏｎ）のような無線通信を介して、ＭＦＰ２と通信可能に接続される形態でもよい。更に、例えば、ＨＭＤ１が、ＬＡＮ（Ｌｏｃａｌ  Ａｒｅａ  Ｎｅｔｗｏｒｋ）を介して、ＭＦＰ２と通信可能に接続される形態でもよい。
【００７７】
（２）図１を参照して、画像形成装置がＭＦＰ２である形態について説明したが、これに限定されない。画像形成装置が、少なくとも、印刷機能、及び、通信機能を備えていればよい。画像形成装置が、例えば、インターネットに通信可能に接続されたプリンターでもよい。
【００７８】
（３）図１及び図２を参照して、ＨＭＤ１が眼鏡型である形態について説明するが、これに限定されない。ＨＭＤ１が、帽子型（ヘルメットマウントディスプレー）である形態でもよい。
【００７９】
（４）図２及び図３を参照して、ＨＭＤ１が電子書籍表示装置に相当する形態について説明したが、これに限定されない。電子書籍表示装置がＨＭＤ１に加えて、他の装置を備える形態でもよい。具体的には、制御部１１がパーソナルコンピューター（ＰＣ）で構成され、電子書籍表示装置がＰＣ及びＨＭＤ１を備える形態でもよい。
【００８０】
（５）図６を参照して、ＨＭＤ１が１個のカメラ１０を備える形態について説明したが、これに限定されない。ＨＭＤ１が２個以上のカメラを備える形態でもよい。例えば、ＨＭＤ１が２個のカメラを備える形態でもよい。具体的には、一方のカメラがユーザーの右目が捉える映像に対応する映像を撮像し、他方のカメラがユーザーの左目が捉える映像に対応する映像を撮像する形態が好ましい。
【００８１】
（６）図６及び図７を参照して、用紙３が紙媒体の書籍である形態について説明したが、これに限定されない。例えば、用紙３が１枚の用紙（例えば、Ａ４サイズのコピー用紙）である形態でもよい。また、例えば、用紙３が、複数枚の用紙がファイルに綴じられている形態でもよい。更に、例えば、用紙３が、複数枚の用紙が折り畳まれた新聞のような形態でもよい。
【産業上の利用可能性】
【００８２】
本発明は、電子書籍表示装置、電子書籍表示方法、及び、電子書籍表示システムの分野に利用可能である。
【符号の説明】
【００８３】
１００    電子書籍表示システム
１    ＨＭＤ（電子書籍表示装置）
１０    カメラ
１１    制御部
１１Ａ    ＣＰＵ
１１Ｂ    信号処理部
１１Ｃ    メモリー
１１Ｄ    シャッター駆動部
１１１    許可証読取部
１１２    許可証送信部
１１３    電子書籍取得部
１１４    用紙検出部
１１５    撓み検出部
１１６    表示領域設定部
１１７    改ページ検出部
１１８    表示制御部
１４    レンズ部
１５    偏光シャッター
１６    投影部
１７    送受信部
２    ＭＦＰ（画像形成装置）
２１    画像形成ユニット
２２    画像読取ユニット
２３    原稿搬送ユニット
２４    操作パネル
２５    制御部
２５１    許可証印刷部
２５２    電子書籍送信部
２５３    電子書籍記憶部
３    用紙
３１    輪郭
３２    表示領域
４１    輪郭
４２    表示領域
４３    画像
【図１】
0006428549.tif 000002
【図２】
0006428549.tif 000003
【図３】
0006428549.tif 000004
【図４】
0006428549.tif 000005
【図５】
0006428549.tif 000006
【図６】
0006428549.tif 000007
【図７】
0006428549.tif 000008
【図８】
0006428549.tif 000009
【図９】
0006428549.tif 000010
【図１０】
0006428549.tif 000011
【図１１】
0006428549.tif 000012
【図１２】
0006428549.tif 000013